(57)【要約】【課題】使用時の利便性や耐久性の点で優れ、さらには廃棄時においても高度に配慮されてなるラップ用シート状物の包装収納ケースを提供すること。【解決手段】筒状に巻かれたラップ用シート状物が収納されるケース本体の蓋部の先端に連続して、前記ケース本体の前正面板と重なり合う掩蓋片が設けられているラップ用シート状物の収納ケースであり、該収納ケースの本体が主としてポリエステル系熱可塑性樹脂からなり、該ケース本体の前正面板にあるいは該前正面板と底面板にまたがって、前記ラップ用シート状物先端付近をつまみ引き出すために手指を挿入できる開口部が設けられてなることを特徴とするラップフィルムの収納ケース。【選択図】図１
2006290363.tif 000002
【特許請求の範囲】
【請求項１】
筒状に巻かれたラップ用シート状物が収納されるケース本体の蓋部の先端に連続して、前記ケース本体の前正面板と重なり合う掩蓋片が設けられているラップ用シート状物の収納ケースであり、該収納ケースの本体が主としてポリエステル系熱可塑性樹脂からなり、該ケース本体の前正面板にあるいは該前正面板と底面板にまたがって、前記ラップ用シート状物先端付近をつまみ引き出すために手指を挿入できる開口部が設けられてなることを特徴とするラップフィルムの収納ケース。
【請求項２】
ポリエステル系熱可塑性樹脂が、ポリ乳酸系重合体であることを特徴とする請求項１記載のラップ用シート状物の収納ケース。
【請求項３】
収納ケースの少なくとも一面の表面に磁石が付設されてなることを特徴とする請求項１または２記載のラップ用シート状物の収納ケース。
【請求項４】
収納ケースの底面板上および／または背面板上に、該磁石が付設されてなることを特徴とする請求項３記載のラップ用シート状物の収納ケース。
【発明の詳細な説明】
【技術分野】
【０００１】
本発明は、食品等の包装用等として一般に広く使用されているラップフィルムやクッキングペーパー、アルミホイル等のラップ用シート状物の収納ケースに関し、更に詳しくは、メーカー出荷時から家庭や飲食店などでの使用時まで、ラップ用シート状物の包装収納ケースとして好適に使用できるラップ用シート状物の収納ケースに関する。
【背景技術】
【０００２】
従来から家庭や飲食店等で使用されている上述した如き各種ラップ用シート状物を内部に収納するケースとしては、厚紙を用いて成形された直方体箱型状の紙製容器が知られていて、そのような容器とラップ用シート状物とは、その個々において一体不可分的な一つの物として位置づけられた商品展開がされている。
【０００３】
すなわち、該紙製の箱状容器は、単なる包装ないしは収納のための容器という他に、使用者が該ラップ用シート状物を使用するに当たり、所望する長さ分だけのラップ用シート状物を引き出してその分をカットすることが容易にできるように、さらに、その所望長さだけを使用した後は、該使用をした後のそのままの状態でも、汚れることや埃が付着することなく、かつ次回の使用時にも即座に対応できるような状態を呈して、ラップ用シート状物を収納しつつ次回使用できるように、構成されている（特許文献１−３）。
【０００４】
このような直方体状のラップ用シート状物の収納ケースは、その基本構造は、一般に、ケース本体の蓋部の先端に連続して、ケース本体の前正面板と重なり合う掩蓋片が設けられている。そして、掩蓋片の先端部には、鋸歯状の切断部材が設けられていて、使用者は使用したい長さ分だけを筒状ラップ用シート巻き体から引き出して、該切断部材の位置で該シートをカットして使用する（特許文献４）。
【０００５】
しかし、このような切断と使用法であると、未使用のラップ用シート状物のカット先端部がケース内に残り、次の使用時に取り出しにくいという不都合があった。
【０００６】
そこで、前正面の中央部において、略半円形状などに該前正面壁を切り欠いて指抜き部を構成して、手指をそこに入れて残っているラップ用シート状物の先端付近をつまんで引き出すようにしたラップ用シート状物の収納ケースが提案されている（特許文献５−９）。
【０００７】
しかしながら、上述したいずれの提案も、収納ケースの素材の選定について具体的示唆はなく、通常の紙製ケースとした際には、使用中において水に濡れたりした場合には、水分でケースがふやける等の問題があった。さらに、プラスチック製ケースとした際には、水分によるケースの変形は防げるものの、例えば、ポリプロピレンなどの汎用成形材料（ポリオレフィン系）を用いてラップ用シート状物の収納ケースを形成した際には、特にカレーや液体調味料、油脂食品類などの汚れが付着し、これを放置してしまうと、これらの汚れは簡単には落ちにくく不衛生となりやすかったり、強度や寸法安定性、成形精度が不十分なため容易に変形・破損しやすい等、使用時の耐久性に欠けるなどの問題があった。このように、使用時の耐久性の点で改良すべき点があった。
【特許文献１】特開２０００−１４２６８３号公報
【特許文献２】特開２００３−２９１９５９号公報
【特許文献３】特開平６−２４７４４２号公報
【特許文献４】特開２０００−８５７６２号公報
【特許文献５】特開２００４−１２３１９６号公報（請求項６、段落００１７）
【特許文献６】特開２００２−３６２６５４号公報（請求項１）
【特許文献７】特開２０００−６９６２号公報（請求項１）
【特許文献８】特開平１１−２０８３４号公報（請求項１）
【特許文献９】特開２００３−９５２５４号公報（請求項１−２）
【発明の開示】
【発明が解決しようとする課題】
【０００８】
本発明は、上述したような従来技術に鑑み、特に、使用時の利便性や耐久性の点で優れ、さらには廃棄時においても高度に配慮されてなるラップ用シート状物の包装収納ケースを提供することを目的とする。
【課題を解決するための手段】
【０００９】
上述した目的を達成する本発明のラップ用シート状物の収納ケースは、以下の(1) の構成からなる。
（１）筒状に巻かれたラップ用シート状物が収納されるケース本体の蓋部の先端に連続して、前記ケース本体の前正面板と重なり合う掩蓋片が設けられているラップ用シート状物の収納ケースであり、該収納ケースの本体が主としてポリエステル系熱可塑性樹脂からなり、該ケース本体の前正面板にあるいは該前正面板と底面板にまたがって、前記ラップ用シート状物先端付近をつまみ引き出すために手指を挿入できる開口部が設けられてなることを特徴とするラップフィルムの収納ケース。
【００１０】
また、かかる本発明のラップフィルムの収納ケースにおいて、より好ましい具体的構成として、以下の(2) 〜(4) の構成を有するものである。
（２）ポリエステル系熱可塑性樹脂が、ポリ乳酸系重合体であることを特徴とする上記(1) 記載のラップ用シート状物の収納ケース。
（３）収納ケースの少なくとも一面の表面に磁石が付設されてなることを特徴とする上記(1) または、(2) 記載のラップ用シート状物の収納ケース。
（４）収納ケースの底面板上および／または背面板上に、該磁石が付設されてなることを特徴とする上記(3) 記載のラップ用シート状物の収納ケース。
【発明の効果】
【００１１】
請求項１にかかる本発明によれば、特に、使用時の利便性や耐久性の点で優れ、さらには廃棄時において高度に配慮されてなるラップ用シート状物の包装収納ケースを提供することが実現できるものである。
【発明を実施するための最良の形態】
【００１２】
以下、更に詳しく本発明のラップ用シート状物の収納ケースについて、図面等を参照しながら更に詳しく説明する。
【００１３】
図１は、本発明にかかるラップ用シート状物の収納ケースの一実施態様例を示した概略モデル斜視図であり、図２は、図１に示した本発明にかかるラップ用シート状物の収納ケースの左側面方向から見たＡ−Ａ断面図である。
【００１４】
図３は、図１に示した本発明にかかるラップ用シート状物の収納ケースの開口部を拡大して示した拡大概略モデル図である。
【００１５】
図１および図２に示したように、本発明にかかるラップ用シート状物２の収納ケースは、筒状に巻かれたラップ用シート状物４が収納されるケース本体の蓋部１の先端に連続して、該ケース本体の前正面板７と重なり合う掩蓋片２が設けられているものであって、特に、該ケース本体の前正面板７に、あるいは該前正面板７と底面板８にまたがって、該ラップ用シート状物２の先端付近をつまみ引き出すために手指を挿入できる開口部３が設けられてなるものである。
【００１６】
ケースの出口部には切断部材（鋸歯状カッター）５が設けられていて、ラップ用シート状物４は、使用者により所望の使用長さ分だけ引き出されて後、切断部材５部分に当接されることにより切断される。この動作は、従来からある箱型容器の場合と基本的に同じである。
【００１７】
本発明のラップ用シート状物の収納ケースを用いれば、次回の使用に供されるラップ用シート状物の先端部分が、切断部材（鋸歯状カッター）５の内面側にくっついている状態であっても、該シート状物先端部を簡単につまみ引き出すことができるものである。
【００１８】
開口部３は、掩蓋片２の先端がどの程度まで前正面板７と重なり合って位置しているかにもよるが、底面板８付近まで位置していないときには、ケース本体の前正面板７にだけ設けてもよい。一方、底面板８付近まで位置しているときには、前正面板７と底面板８の双方にまたがって設けられているのがよい。
【００１９】
本発明のラップ用シート状物の収納ケースは、主としてポリエステル系熱可塑性樹脂からケース本体が構成されることを特徴とするが、ポリエステル系熱可塑性樹脂は、ポリプロピレンなどの汎用の成形用樹脂（オレフィン系）に比較して、油性、酸性、アルコール性など各種食品に対する防汚性に優れ、成形品の強度や寸法安定性・成型精度に優れた特徴を有している。そのため、本発明の収納ケースは、使用中において水に濡れたりしたときでも水分でケースがふやけることもなく、特にカレーや液体調味料、油脂食品類などの汚れが付着してこれを放置してもこれらの汚れは濡れ布巾などにより容易に除去可能であり非常に衛生的である。さらには、重量物の下敷きになったり落下させたりした場合でもつぶれたり破損したりすること等がなく、長期間使用してもケースの形状に狂いが生じて使用に支障をきたすことがなく、取り扱い性が非常に良好である。
【００２０】
本発明において、ケース本体を主として構成するポリエステル系熱可塑性樹脂は、エステル骨格を主体とするものであればよく、特に限定されるものではないが、例えば、ポリエチレンテレフタレート、ポリブチレンテレフタレート、ポリプロピレンテレフタレート、ポリ（エチレンテレフタレート・エチレンイソフタレート）共重合体、ポリエチレン２，６−ナフタレートなどの芳香族ポリエステルや、ポリブチレンサクシネート、ポリブチレンサクシネート・アジペートポリエチレンサクシネート、ポリ−３−ヒドロキシプロピオネート共重合体、ポリ−３−ヒドロキシブチレート、ポリ−３−ヒドロキシブチレートバリレート共重合体、ポリ乳酸、ポリグリコール酸などの脂肪族ポリエステルなどが挙げられ、これらのポリエステル系樹脂から選ばれる２種以上の組成物やあるいは共重合物であってもよい。また、さらには、本発明の効果が損なわれない範囲で、ポリエチレンやポリプロピレンなどのポリオレフィン系樹脂やポリアミド系樹脂、ポリカーボネート系樹脂、ＡＢＳ樹脂、ポリ塩化ビニル系樹脂などのポリエステル系熱可塑性樹脂以外の樹脂を併用してもよい。
【００２１】
収納ケース本体は、例えば、熱可塑性樹脂などからなる筒状形のラップ用シート状物に対応して形付けられた成型体で構成されていることが好ましく、ポリエステル系熱可塑性樹脂の中でも、透明樹脂もしくは半透明樹脂を用いると、内部のラップ用シート状物の残量が視認できるので好ましい。
【００２２】
収納ケース本体の全体形状自体は、従来からある厚紙製のものと基本的に同様なものでよい。ただし、ケース本体の蓋部１が開閉のための回動ができるように蓋部の根元部はヒンジ構造を呈して形成されているのがよい。
【００２３】
中でも、特に、ポリ乳酸系ポリマーを使用した場合は、該ポリ乳酸系樹脂が植物由来かつ生分解性であり、廃棄時の環境問題を招くことが小さく、さらには、石油資源の節約となるので好ましい。
【００２４】
該ポリ乳酸系ポリマーとは、乳酸単位を含む脂肪族ポリエステルからなるものをいい、具体的には、例えば、
（１）ポリ乳酸、および、乳酸とその他のヒドロキシカルボン酸（例えばグリコール酸、３−ヒドロキシ酪酸、４−ヒドロキシ酪酸、３−ヒドロキシ吉草酸、４−ヒドロキシ吉草酸、６−ヒドロキシカプロン酸等）との共重合物、
（２）乳酸単位とさらに脂肪族多価カルボン酸単位および脂肪族多価アルコール単位を含む脂肪族ポリエステル、
（３）乳酸単位とさらに多官能多糖類を含む脂肪族ポリエステル、
（４）上記脂肪族ポリエステルとの混合物、
等を総称して言うものである。また、乳酸には、Ｌ−体とＤ−体とが存在するが、本発明においては、Ｌ−体とＤ−体との両者を含むものである。
【００２５】
すなわち、本発明において、ポリ乳酸系ポリマーとしては、構成単位がＬ−乳酸のみからなるポリ（Ｌ−乳酸）、Ｄ−乳酸のみからなるポリ（Ｄ−乳酸）、あるいはＬ−乳酸単位とＤ−乳酸単位とが種々の割合で存在するポリ（ＤＬ−乳酸）のいずれも使用できる。
【００２６】
また、ポリエステル系熱可塑性樹脂の中でも、生分解性を有する樹脂で収納ケースの本体を構成するのであれば、その場合には、より好ましくは、ラップ用シート状物自体や該ラップ用シート状物を筒状に巻き上げるための巻き芯体等もポリ乳酸系ポリマーなどの生分解性樹脂で構成させるのがよいものである。
【００２７】
そのように構成すると、収納ケース内にラップ用シート状物と巻き芯体が残っている場合でも、そのまま廃棄したとしても土中等で分解されるので廃棄上の問題は実際上ないからである。したがって、生分解性を有する樹脂で収納ケースの本体を構成する場合には、同時に、切断部材（鋸歯状カッター）５もポリ乳酸系ポリマーなどの生分解性樹脂で構成するのがよい。
【００２８】
本発明にかかるラップ用シート状物の収納ケースは、例えば、ポリエステル系熱可塑性樹脂のシート状物と適宜の金型を用いた真空成形法、真空圧空成形法、あるいは射出成形法等により簡単に製造することができる。
【００２９】
また、収納ケースの少なくとも一面の表面には、磁石が付設されてなることが好ましく、例えば、ラップ用シート状物の使用時に、ステンレス製の流し台の上や冷蔵庫、オーブン、電子レンジ等の身近な電気製品の外壁に該磁石６によって一時的に該収納ケースを固定して、片手による動作だけでもラップ用シート状物を引き出して切断できるというような使い方ができるようになる。
【００３０】
該磁石６は、図２に示したように収納ケースの底面板８上または背面板９上に付設されていることが好ましいが、使用者の使い方に応じて使用する磁石面を使い分けることができるように、底面板８上と背面板９上の双方に付設されていることも好ましい。
【００３１】
本発明のラップ用シート状物の収納ケースは、筒状に巻かれたラップ用シート状物の該ケース内への装着と該ケースからの取外しも自在であるので、一つのラップ用シート状物を使い終わったら、新しいラップ用シート状物をケース内部に収納して繰返して該ケースを使用することができる。
【図面の簡単な説明】
【００３２】
【図１】図１は、本発明にかかるラップ用シート状物の収納ケースの一実施態様例を示した概略モデル斜視図である。
【図２】図２は、図１に示した本発明にかかるラップ用シート状物の収納ケースの左側面方向から見たＡ−Ａ断面図である。
【図３】図３は、図１に示した本発明にかかるラップ用シート状物の収納ケースの開口部を拡大して示した拡大概略モデル図である。
【符号の説明】
【００３３】
１：ラップ用シート状物の収納ケース本体の蓋部
２：掩蓋片
３：ラップ用シート状物の引き出しつまみ用開口部
４：ラップ用シート状物
５：切断部材（鋸歯状カッター）
６：磁石
７：ケース本体の前正面板
８：ケース本体の底面板
９：ケース本体の背面板
【図１】
2006290363.tif 000003
【図２】
2006290363.tif 000004
【図３】
2006290363.tif 000005